(57)【要約】      （修正有）【課題】犬のマーキング的放尿に対処できる用具を提供する。【解決手段】１は市販の水分吸収シートで、吸水性ポリマーなどの水分高吸収性材料を内包したシート状物品である。２は半透明の袋体で、上記シートより小サイズのフィルム状素材による袋であり、その一端に開口部を有している。この袋体側面は上記シート裏面端にその端を一致させて貼着されている。３はシート取付板で、長方形状の合成樹脂板をほぼ直角に折曲して形成される。使用時はまず、袋体をシート取付板の垂直部分に挿入し、該取付板の水平面と垂直面が該シートにて覆われるようにする。これを壁際等に垂直部分を接近もしくは接触させて位置させ、準備が完了する。犬はこの場所に来てマーキングスタイルで放尿しても、水平面と垂直面はこの水分吸収シートで覆われているので壁や家具等を汚損することがくなる。【選択図】図５
0003150450.tif 000002
【実用新案登録請求の範囲】
【請求項１】
その裏面に一端開口の袋体を設けてなる水分吸収シートを設け、一方、直角に折曲してなるシート取付板を設け、以上の水分吸収シートとシート取付板との組み合わせにより構成されたことを特徴とする犬用尿吸収具。
【請求項２】
シート取付板を、互いに回動可能なる水平板と垂直板とから構成してなる請求項１記載の犬用尿吸収具。
【請求項３】
水平板に対する垂直板の回動阻止機能を付加してなる請求項２記載の犬用尿吸収具。
【請求項４】
シート取付板において、水平板と垂直板を別設し、互いの該板体を直角に組み合わせ位置させるとともに、相互の板体の押圧係止手段を設けてなる請求項１記載の犬用尿吸収具。
【考案の詳細な説明】
【技術分野】
【０００１】  この考案は、犬の放尿にて放出された尿を効率よく吸収して除去するための犬用尿吸収具に関する。
【背景技術】
【０００２】  従来より、尿吸収のためのシート等が市販されているが、本案にて示すように、シートと、シートの水平垂直位置を可能としたシート取付板とを組み合わせて用いるものは現在のところ見あたらない。
【考案の開示】
【考案が解決しようとする課題】
【０００３】  ペットとして飼っている犬の放尿について、室内犬の場合は専用の犬用トイレが多用されている。これは所定サイズ形状の上部開放容器内に尿吸収シート等を敷いたものである。
また、放尿対策品として折り畳み箱形のものもあるが、高価であり、吸収シートの取り付けに手間取るなどの欠点のため、あまり普及していない。雄犬の場合は成長するにつれてマーキングの習性が現れてくる。これはとくに犬の散歩時によく行われ、樹木等に対して片足を上げて放尿するものである。室内で飼っていてもこの習性にて垂直に立っているものに放尿してしまい、壁や家具等を汚し、臭気が残って後始末に大変であるが、このための使いやすい専用具は見あたらず、より有効な用具が求められている。
本案は、以上のような従来からの犬用尿吸収手段に関わる課題を解決するために考案されたもので、簡単な仕組みにて以上の問題に対処できる新規かつ有用なる用具を提供することを目的としたものである。
【課題を解決するための手段】
【０００４】  課題を解決する手段として本案は以下の構成とした。
すなわち、その裏面に一端開口の袋体を設けてなる水分吸収シートを設け、一方、直角に折曲してなるシート取付板を設け、以上の水分吸収シートとシート取付板とを組み合わせる。本案は以上の構成による犬用尿吸収具である。なお、シート取付板構成を変化させて、不使用時にコンパクトに収納できるよう構成してもよい。
【考案の効果】
【０００５】  本案によれば、直角位置の板体の垂直部分に袋体にて水分吸収シートを取り付けることにて、板体の垂直部分と水平部分の双方を該シートで覆うこととなるので、犬の放出した尿をもれなく吸収し、吸収後のシートを容易に除去して交換することができ、従来より問題となっていた壁面等への放尿による汚れや臭気の心配のない有用なる用具を得ることができる。また、板体相互の回動や別設手段を付加することにて、不使用時の収納にも便利な構成とすることができる。
【考案を実施するための最良の形態】
【０００６】  以下、本考案の実施形態について説明する。
図において、１は市販の水分吸収シートで、吸水性ポリマーなどの水分高吸収性材料を内包したシート状物品である。２は半透明の袋体で、上記シートより小サイズのフィルム状素材による袋であり、その一端に開口部を有している。この袋体側面は上記シート裏面端にその端を一致させて貼着されている。３はシート取付板で、長方形状の合成樹脂板をほぼ直角に折曲して形成される。以上が本案の一実施形態である。
本案使用時はまず、袋体をシート取付板の垂直部分に挿入し、該取付板の水平面と垂直面が該シートにて覆われるようにする。これを壁際等に垂直部分を接近もしくは接触させて位置させ、準備が完了する。犬はこの場所に来てマーキングスタイルで放尿しても、水平面と垂直面はこの水分吸収シートで覆われているので、既述の問題を解決することができる。また、このシートは袋体への取付板挿入にて保持されているので、使用後の該シートを簡単に取り外して除去し、新たなシートを装着することができる。なお、シート取付板の垂直部長に対して水平部長を大きくすると、放尿位置的に好適である。
図８〜図１５は本案の他例を示すものである。図８〜図１３は、シート取付板を蝶番的に回動可能に嵌め込んで構成したものである。図において、１０は水平板で、若干の柔軟性と弾力性を有する合成樹脂製長方形状の薄板体で、その一辺中央には円柱状膨大部１１が、板厚中心よりやや偏芯して一体に形成される。この円柱状膨大部の両端中央には略円柱状の突起１２が一体に形成される。また、水平板下面適所に薄ゴム板による滑り止め部材４が貼着される。１３は垂直板で、上記水平板と同材料にて形成される薄板体で、水平板よりやや短い板である。１４は円柱状膨大部で、垂直板の一辺両端に対向して、板厚中心よりやや偏芯して一体に形成され、その内側端部には凹部１５が対向して形成される。前記の突起はこの凹部に適度の押圧にて嵌合可能なサイズであり、嵌合時は図８のごとく押し込んで嵌合させる。この嵌合時において、垂直板の円柱状膨大部側端と水平板の円柱状膨大部側面はわずかの間隙を有している。嵌合した板は円柱状膨大部を中心に回動可能であり、水平板と垂直板を重ねることができるとともに、互いに直角位置とすることができる。垂直板回動にて直角位置となるとき、垂直板は水平板に当接するので、鋭角となることを阻止できる。円柱状膨大部１４の互いの間隙を円柱状膨大部１１の長さと適度の嵌合とすれば垂直板の位置安定がなされる。そしてこの状態にて既述のごとく吸収シートを取り付けて、目的を達することができる。【０００７】  図９〜図１３は、水平板に対する垂直板の角度が鈍角となることを防止する手段を示すものである。図９は、水平板と垂直板の適所に、段部を有する棒状の係止具２０を突設し、ここに細ひも２１を固定することにて上記問題を解消するよう構成したものである。
また、細ひもの一端にはカギ型金具２２を有し、これを係止具に嵌め込んで固定する。
図１０は、水平板両端に同様の係止具を、垂直板の裏面中央にＬ形の係止具２３を設け、相互に細ひもにて係止するものである。図１１は、垂直板の上縁中央から下縁に向けて溝２４を設け、かつ水平板の円柱状膨大部にも孔を穿設したもので、金属製細棒による挿入棒２５を溝にあてがい、この孔に挿通することにより、目的を達するよう構成したものである。なお、図９〜図１３において、互いの板は図８と同様に相互の円柱状膨大部の嵌合にて回動可能に構成される。なお、細ひも材質は任意で、ビニールひもその他が利用できる。
図１４は、水平板３０と垂直板３１とを個別に設けるとともに、各板端を所定長さに直角に折曲して図のごとく重ね合わせ、この重なった側面に、弾力性を有する合成樹脂板を適度の間隙を有して１８０度折曲して形成された押圧係止板３２を挿入することにて相互の板を固定し、直角を保持するよう構成したものであり、既述と同様に垂直板に水分吸収シートを取り付けて使用するものである。この押圧係止板先端部の間隙は水平板と垂直板とを重ねた厚さより小さいことが必要で、これにてこの押圧係止板を差し込んだときに双方の板体を押圧係止することができる。不使用時は各部品を分解することにてコンパクトに収納することができる。【０００８】  以上、本案について記したが、本案は床上の水平面と垂直面の双方に水分吸収シートを位置させることにて、犬の放尿をもれなく吸収し、吸水後のシートの除去と交換を容易にできるところにその特徴を有するものである。従来はこのような物品がなく、放尿の度ごとに拭き掃除をしなければならず、あるいは壁面や家具面にビニール等の防水性シートを貼着・粘着させるなどの手間を要していたが、本案にてこれが解決できるものとなったのである。本案品は、その構成がシンプルであるため安価に制作提供でき、シート除去時に袋状に丸めることにて手を汚すことなく除去でき、使用場所の限定がないので必要に応じて複数個の配置が可能である。また、折り畳みや分解形とすることにて不使用時の収納に便利である。なお、水平板下面に滑り止めを設けることにて、使用時の床に対するずれを防止でき、袋体を対向して２個所設けると、汚れに応じ方向を入れ替えて使うことができる。また、図１１の溝に代えて垂直板に孔を設けてもよい。既述の例は合成樹脂板を用いたが、他の素材にて制作してもよく、また、袋体長さを大として、水平板をも内包するものとしてもよい。以上の例は、実施の一例であり、近似の他の構成としてもよい。以上のごとく、本案にて犬放尿時の問題を解消できる有用なる物品を提供することができる。
【図面の簡単な説明】
【０００９】
【図１】本考案の水分吸収シートの表面図
【図２】本考案の水分吸収シートの裏面図
【図３】本考案のシート取付板の平面図
【図４】本考案のシート取付板の正面図
【図５】本考案の水分吸収シート装着説明図
【図６】本考案の水分吸収シートの要部拡大説明図
【図７】本考案のセット状態斜視図
【図８】本考案の他例説明図
【図９】本考案の他例の説明図
【図１０】本考案の他例説明図
【図１１】本考案の他例説明図
【図１２】本考案の他例要部拡大説明図
【図１３】本考案の他例要部拡大説明図
【図１４】本考案の他例説明図
【図１５】本考案の他例要部説明図
【符号の説明】
【００１０】１    水分吸収シート
２    袋体
３    シート取付板
４    滑り止め部材
１０  水平板
１１  円柱状膨大部
１２  突起
１３  垂直板
１４  円柱状膨大部
１５  凹部
２０  係止具
２１  細ひも
２２  カギ型金具
２３  係止具
２３  溝
２５  挿入棒
３０  水平板
３１  垂直板
３２  押圧係止板
【図１】
0003150450.tif 000003
【図２】
0003150450.tif 000004
【図３】
0003150450.tif 000005
【図４】
0003150450.tif 000006
【図５】
0003150450.tif 000007
【図６】
0003150450.tif 000008
【図７】
0003150450.tif 000009
【図８】
0003150450.tif 000010
【図９】
0003150450.tif 000011
【図１０】
0003150450.tif 000012
【図１１】
0003150450.tif 000013
【図１２】
0003150450.tif 000014
【図１３】
0003150450.tif 000015
【図１４】
0003150450.tif 000016
【図１５】
0003150450.tif 000017